(57)【要約】【課題】本発明は、パターン化リターダの映像取得装置に関する。【解決手段】本発明の一実施形態によるパターン化リターダの映像取得装置は、光を照射する照明部と、照明部で照射した光を線形偏光させ、回転可能に設置されて１次回転角度θ１を変化させる１次偏光部と、１次偏光部を通過した光を左円偏光させる第１の偏光パターン領域、及び１次偏光部を通過した光を右円偏光させる第２の偏光パターン領域が交互に繰り返し形成された液晶コーティング層を含むパターン化リターダと、パターン化リターダを通過した光を偏光させる２次偏光部と、２次偏光部を通過した光を通じてパターン化リターダを撮影する撮影部とを備える。【選択図】図２
2013109333.tif 000002
【特許請求の範囲】
【請求項１】
光を照射する照明部と、
前記照明部で照射した光を線形偏光させ、回転可能に設置されて１次回転角度θ１を変化させる１次偏光部と、
前記１次偏光部を通過した光を左円偏光させる第１の偏光パターン領域及び前記１次偏光部を通過した光を右円偏光させる第２の偏光パターン領域が交互に繰り返し形成された液晶コーティング層を含むパターン化リターダと、
前記パターン化リターダを通過した光を偏光させる２次偏光部と、
前記２次偏光部を通過した光を通じて前記パターン化リターダを撮影する撮影部と
を備える、パターン化リターダの映像取得装置。
【請求項２】
前記２次偏光部は、円偏光フィルタを備える、請求項１に記載のパターン化リターダの映像取得装置。
【請求項３】
前記２次偏光部は、前記第１の偏光パターン領域及び前記第２の偏光パターン領域のうち、いずれか一つと同一の位相差を有する、請求項２に記載のパターン化リターダの映像取得装置。
【請求項４】
前記１次偏光部は、下記の数式によるθ１’の１次回転角度θ１で回転する、請求項２に記載のパターン化リターダの映像取得装置。
[数式]
θ１’＝（α＋β）／２＋γ
〔式中、α：第１の偏光パターン領域の液晶配向角度、β：第２の偏光パターン領域の液晶配向角度、γ：保護フィルムの位相差補償角度（保護フィルムがない場合は、γ＝０）である。〕
【請求項５】
前記１次偏光部は、θ１’±２０°範囲の１次回転角度θ１で回転する、請求項４に記載のパターン化リターダの映像取得装置。
【請求項６】
前記２次偏光部は、回転できるように設置され、２次回転角度θ２を変化させる、請求項４に記載のパターン化リターダの映像取得装置。
【請求項７】
前記２次偏光部は、前記１次回転角度θ１をθ１’に固定した状態で、前記２次回転角度θ２を変化させる、請求項６に記載のパターン化リターダの映像取得装置。
【請求項８】
前記２次偏光部は、線形偏光フィルタを備える、請求項１に記載のパターン化リターダの映像取得装置。
【請求項９】
前記パターン化リターダは、前記液晶コーティング層の上に形成される保護フィルムをさらに備える、請求項８に記載のパターン化リターダの映像取得装置。
【発明の詳細な説明】
【技術分野】
【０００１】
本発明は、映像取得装置に関するものであり、より詳しくは、パターン化リターダ（Patterned Retarder：FPR）の第１及び第２の偏光パターン領域間のコントラスト比映像を取得することができるパターン化リターダの映像取得装置に関するものである。
【背景技術】
【０００２】
一般的に、パターン化リターダ（Patterned Retarder）は、偏光眼鏡方式の立体画像表示装置に適用され、立体映像の具現に利用することができる。また、パターン化リターダは、半透過型ＬＣＤなどの一面に提供され、反射部及び透過部の光学特性をそれぞれ最適化する補償フィルムの機能をすることによって、外部の光の明るさに関わらず良好なＬＣＤ画像の識別力を得るために利用することもできる。パターン化リターダは複屈折媒質又は位相差フィルムともいう。
【０００３】
図１は、一般的なパターン化リターダを示した斜視図である。
【０００４】
図１を参照すると、パターン化リターダ１０は、基材フィルム１１、配向層１３、及び液晶コーティング層１５を備える。ここで、液晶コーティング層１５は、第１の偏光パターン領域２１と第２の偏光パターン領域２３とがストライプ（Stripe）の形状をなして交互に繰り返し配置される構造を有する。
【０００５】
第１の偏光パターン領域２１は、透過する光を左円偏光（Left Circularly Polarization）させるように形成することができ、第２の偏光パターン領域２３は、透過する光を右円偏光（Right Circularly Polarization）させるように形成することができる。即ち、液晶コーティング層１５は、透過する光を左円偏光させる領域と右円偏光させる領域とが交互に繰り返し配置される構造を有する。
【０００６】
第１の偏光パターン領域２１を透過した光は使用者の偏光眼鏡で左円偏光フィルムを通過し、第２の偏光パターン領域２３を透過した光は使用者の偏光眼鏡で右円偏光フィルムを通過する。このように、第１の偏光パターン領域２１及び第２の偏光パターン領域２３を通じて、使用者の両眼に互いに異なるイメージを形成することによって、立体映像を具現することが可能になる。
【０００７】
一方、第１の偏光パターン領域２１と第２の偏光パターン領域２３とは、それぞれ立体画像表示装置の画素領域のうち、奇数番目の画素ライン及び偶数番目の画素ラインに対応し形成される。従って、第１の偏光パターン領域２１及び第２の偏光パターン領域２３の幅が既設定された幅と異なるように形成されるか、或いは第１の偏光パターン領域２１及び第２の偏光パターン領域２３が直線で形成されず、屈曲されるように形成された場合、クロストーク（Cross-Talk）現象が生じて映像が霞んで見えるようになり、そのため視聴者が目眩を覚えるようになる。
【０００８】
従って、第１の偏光パターン領域２１及び第２の偏光パターン領域２３の幅が既設定された幅のとおりに形成されたか否か、且つ第１の偏光パターン領域２１及び第２の偏光パターン領域２３がある一定の直進度を有して形成されたか否かを検査することができる手段が求められている。
【発明の概要】
【発明が解決しようとする課題】
【０００９】
本発明は、第１の偏光パターン領域及び第２の偏光パターン領域間のコントラスト比映像を取得することができる、パターン化リターダの映像取得装置を提供することにその目的がある。
【課題を解決するための手段】
【００１０】
１．本発明の一実施形態によるパターン化リターダの映像取得装置は、光を照射する照明部と、前記照明部で照射した光を線形偏光させ、回転可能に設置されて１次回転角度θ１を変化させる１次偏光部と、前記１次偏光部を通過した光を左円偏光させる第１の偏光パターン領域及び前記１次偏光部を通過した光を右円偏光させる第２の偏光パターン領域が交互に繰り返し形成される液晶コーティング層を含むパターン化リターダと、前記パターン化リターダを通過した光を偏光させる２次偏光部と、前記２次偏光部を通過した光を通じて前記パターン化リターダを撮影する撮影部とを備える。
【００１１】
２．前記項目１において、前記２次偏光部は、円偏光フィルタを備える。
【００１２】
３．前記項目２において、前記２次偏光部は、前記第１の偏光パターン領域及び前記第２の偏光パターン領域のうち、いずれか一つと同一の位相差を有する。
【００１３】
４．前記項目２において、前記１次偏光部は、下記の数式によるθ１’の１次回転角度θ１で回転する。
【００１４】
[数式]
θ１’＝（α＋β）／２＋γ
〔式中、α：第１の偏光パターン領域の液晶配向角度、β：第２の偏光パターン領域の液晶配向角度、γ：保護フィルムの位相差補償角度（保護フィルムがない場合は、γ＝０）である。〕
【００１５】
５．前記項目４において、前記１次偏光部は、θ１’±２０°範囲の１次回転角度θ１で回転する。
【００１６】
６．前記項目４において、前記２次偏光部は、回転できるように設置され、２次回転角度θ２を変化させる。
【００１７】
７．前記項目６において、前記２次偏光部は、前記１次回転角度θ１をθ１’に固定した状態で、前記２次回転角度θ２を変化させる。
【００１８】
８．前記項目１において、前記２次偏光部は、線形偏光フィルタを備える。
【００１９】
９．前記項目８において、前記パターン化リターダは、前記液晶コーティング層の上に形成される保護フィルムをさらに備えるものである。
【発明の効果】
【００２０】
本発明によると、パターン化リターダの第１の偏光パターン領域及び第２の偏光パターン領域間のコントラスト比が示された映像の取得ができるため、第１の偏光パターン領域及び第２の偏光パターン領域の幅並びに直進度などを精密に検査することができるようになる。
【図面の簡単な説明】
【００２１】
【図１】一般的なパターン化リターダを示した斜視図である。
【図２】本発明の一実施形態による映像取得装置を示した側面図である。
【図３】本発明の一実施形態による映像取得装置を示した平面図である。
【図４】本発明の一実施形態によるパターン化リターダを示した図である。
【図５】本発明の実施形態１における、１次回転角度θ１の変化による第１の偏光パターン領域と第２の偏光パターン領域とのコントラスト比を示したグラフ及び映像を示した図である。
【図６】本発明の実施形態１における、１次回転角度θ１の変化による第１の偏光パターン領域と第２の偏光パターン領域とのコントラスト比を示したグラフ及び映像を示した図である。
【図７】本発明の実施形態２における、２次回転角度θ２の変化による第１の偏光パターン領域と第２の偏光パターン領域とのコントラスト比を示したグラフ及び映像を示した図である。
【図８】本発明の実施形態２における、２次回転角度θ２の変化による第１の偏光パターン領域と第２の偏光パターン領域とのコントラスト比を示したグラフ及び映像を示した図である。
【図９】本発明の実施形態３における、１次回転角度θ１の変化による第１の偏光パターン領域と第２の偏光パターン領域とのコントラスト比を示したグラフ及び映像を示した図である。
【図１０】本発明の実施形態３における、１次回転角度θ１の変化による第１の偏光パターン領域と第２の偏光パターン領域とのコントラスト比を示したグラフ及び映像を示した図である。
【図１１】本発明の実施形態４における、２次回転角度θ２の変化による第１の偏光パターン領域と第２の偏光パターン領域とのコントラスト比を示したグラフ及び映像を示した図である。
【図１２】本発明の実施形態４における、２次回転角度θ２の変化による第１の偏光パターン領域と第２の偏光パターン領域とのコントラスト比を示したグラフ及び映像を示した図である。
【図１３】本発明の実施形態５における、１次回転角度θ１の変化による第１の偏光パターン領域と第２の偏光パターン領域とのコントラスト比を示したグラフ及び映像を示した図である。
【図１４】本発明の実施形態５における、１次回転角度θ１の変化による第１の偏光パターン領域と第２の偏光パターン領域とのコントラスト比を示したグラフ及び映像を示した図である。
【発明を実施するための形態】
【００２２】
以下、図２乃至図１４を参照して、本発明のパターン化リターダの映像取得装置の具体的な実施形態を説明する。しかし、これらは例示としての実施形態に過ぎず、本発明はこれらに制限されるものではない。
【００２３】
本発明を説明するにあたって、本発明に関わる公知技術に関する具体的な説明が、本発明の要旨を不要に逸脱し得ると判断される場合は、その詳細な説明を省略することにする。そして後述する用語は、本発明の機能を考慮して定義された用語であり、これは使用者、運用者の意図又は慣例などによって変わり得る。従って、その定義は本明細書の全般にわたって記載された内容に基づいて定義されるべきである。
【００２４】
本発明の技術的思想は、特許請求の範囲の記載により決められ、以下の実施形態は、本発明の技術的思想を本発明が属する技術分野における通常の知識を有する者に対して具体的に説明するための一手段に過ぎない。
【００２５】
図２は、本発明の一実施形態による映像取得装置を示した側面図であり、図３は、本発明の一実施形態による映像取得装置を示した平面図である。図３での照明部及び撮影部の説明は便宜上省略することにする。
【００２６】
図２及び図３を参照すれば、映像取得装置１００は、パターン化リターダ１０２、照明部１０４、１次偏光部１０６、２次偏光部１０８、及び撮影部１１０を備える。
【００２７】
図４の（a）及び（b）に図示されるように、パターン化リターダ１０２は、基材フィルム１２１、配向層１２３、及び液晶コーティング層１２５を備える。ここで、液晶コーティング層１２５には、１次偏光部１０６を通過した光を左円偏光させる第１の偏光パターン領域１２７及び１次偏光部１０６を通過した光を右円偏光させる第２の偏光パターン領域１２９がストライプ形状をなして交互に繰り返し形成される。
【００２８】
ここで、第１の偏光パターン領域１２７の液晶配向角度をαといい、第２の偏光パターン領域１２９の液晶配向角度をβという。第１の偏光パターン領域１２７の液晶配向角度（α）と第２の偏光パターン領域１２９の液晶配向角度（β）とは互いに垂直をなす。α及びβは、第１の偏光パターン領域１２７及び第２の偏光パターン領域１２９の長さ方向を基準軸とした時、基準軸となす角度をいう。
【００２９】
第１の偏光パターン領域１２７は、αの液晶配向角度を有することによって、αの位相差を有するようになり、第２の偏光パターン領域１２９は、βの液晶配向角度を有することによって、βの位相差を有するようになる。この時、α及びβが互いに垂直をなすため、第１の偏光パターン領域１２７は１次偏光部１０６を透過した光を左円偏光させ、第２の偏光パターン領域１２９は１次偏光部１０６を透過した光を右円偏光させるようになる。ここで、パターン化リターダ１０２は、液晶コーティング層１２５の上部にさらに保護フィルム（図示しない）を備えることもできる。
【００３０】
照明部１０４は、パターン化リターダ１０２の映像を取得するための、光を照射する部分であり、例えば、照明部１０４には、ＬＥＤランプ、蛍光灯、白熱電球、及びハロゲンランプなど、様々な光源装置を用いることができる。
【００３１】
１次偏光部１０６は、照明部１０４とパターン化リターダ１０２との間に、パターン化リターダ１０２と平行に配置される。１次偏光部１０６としては、線形偏光フィルタ(PL)が用いられ得る。この場合、１次偏光部１０６は、照明部１０４から照射される光のうち、一定方向の光のみを透過させ、他の方向の光は遮断する。
【００３２】
１次偏光部１０６は、水平の状態で回転可能に設置されて、１次偏光部１０６を回転させた時、１次偏光部１０６とパターン化リターダ１０２とがなす角度を１次回転角度θ１という。この時、１次偏光部１０６を回転させ１次回転角度θ１を変化させることによって、撮影部１１０でパターン化リターダ１０２の映像を取得した時、第１の偏光パターン領域１２７と第２の偏光パターン領域１２９とのコントラスト比を調節することができる。
【００３３】
２次偏光部１０８は、パターン化リターダ１０２と撮影部１１０との間に、パターン化リターダ１０２と平行に配置される。その時、２次偏光部１０８は、１次偏光部１０６と互いに直交するように配置される。即ち、２次偏光部１０８は、１次偏光部１０６とクロスニコル（Cross Nicol）に配置される。
【００３４】
２次偏光部１０８は、水平の状態で回転可能に設置されて、２次偏光部１０８を回転させた時、２次偏光部１０８とパターン化リターダ１０２とがなす角度を２次回転角度θ２という。ここで、１次偏光部１０６を回転させ、第１の偏光パターン領域１２７と第２の偏光パターン領域１２９とのコントラスト比を調節する場合、回転された１次偏光部１０６と直交するように２次偏光部１０８を回転させる。
【００３５】
２次偏光部１０８は、線形偏光フィルタ又は円偏光フィルタを用いることができるが、円偏光フィルタを用いることが好ましい。２次偏光部１０８で円偏光フィルタを用いる際、円偏光フィルタは、第１の偏光パターン領域１２７及び第２の偏光パターン領域１２９のうち、いずれか一つの位相差と同一の位相差を有する円偏光フィルタを用いる。この場合、２次偏光部１０８は、第１の偏光パターン領域１２７及び第２の偏光パターン領域１２９を透過する光のうち、いずれか一つは遮断し、他の一つは通過させるため、第１の偏光パターン領域１２７と第２の偏光パターン領域１２９とのコントラスト比が高く示されるようになる。
【００３６】
例えば、２次偏光部１０８として位相差が４５°である円偏光フィルタを用いる場合、第１の偏光パターン領域１２７を透過した光は通過させ、第２の偏光パターン領域１２９を透過した光は遮断させる。そして、２次偏光部１０８として位相差が１３５°である円偏光フィルタを用いる場合、第１の偏光パターン領域１２７を透過した光は遮断させ、第２の偏光パターン領域１２９を透過した光は通過させる。この時、光が遮断された偏光パターン領域は暗く現われ、光が通過した偏光パターン領域は明るく示されるため、第１の偏光パターン領域１２７と第２の偏光パターン領域１２９とのコントラスト比が高く示されるようになる。
【００３７】
２次偏光部１０８として円偏光フィルタを用いる場合、下記の数式を満たすように１次偏光部１０６を回転させたとき、第１の偏光パターン領域１２７と第２の偏光パターン領域１２９とのコントラスト比が最大化されて示されるようになる。
【００３８】
[数式]
θ１’＝（α＋β）／２＋γ
【００３９】
ここで、θ１’は第１の偏光パターン領域１２７と第２の偏光パターン領域１２９とのコントラスト比が最大化される１次回転角度であり、αは第１の偏光パターン領域１２７の液晶配向角度、βは第２の偏光パターン領域１２９の液晶配向角度、及びγは保護フィルムの位相差補償角度（保護フィルムがない場合は、γ＝０）を示すものである。
【００４０】
前記[数式]によると、例えば、αが４５°であり、βが１３５°であり、そして保護フィルムがない場合（γ＝０）は、１次回転角度θ１が９０°になった時、第１の偏光パターン領域１２７と第２の偏光パターン領域１２９とのコントラスト比が最大化されて示されるようになる。ここで、１次回転角度θ１がθ１’±２０°の範囲を満たすように１次偏光部１０６を回転させると、第１の偏光パターン領域１２７と第２の偏光パターン領域１２９とのコントラスト比を一定水準以上に表すことができる。
【００４１】
１次回転角度θ１をθ１’で確定させた状態で、２次偏光部１０８を回転させ２次回転角度θ２を変化させると、撮影部１１０でパターン化リターダ１０２の映像を取得した時、第１の偏光パターン領域１２７と第２の偏光パターン領域１２９とのコントラスト比が一定水準以上（例えば、３以上）に高く示されるようになる。
【００４２】
一方、２次偏光部１０８として線形偏光フィルタを用いる場合は、液晶コーティング層１２５の上に保護フィルム（図示しない）を形成すると、第１の偏光パターン領域１２７と第２の偏光パターン領域１２９とのコントラスト比が示された映像を取得することができる。
【００４３】
即ち、２次偏光部１０８として線形偏光フィルタを用いる場合は、２次偏光部１０８が、第１の偏光パターン領域１２７及び第２の偏光パターン領域１２９を通過した光のうち、いずれか一つを遮断することが出来ないため、第１の偏光パターン領域１２７及び第２の偏光パターン領域１２９が共に明るく示されて、第１の偏光パターン領域１２７と第２の偏光パターン領域１２９とのコントラスト比が示された映像を取得することができなくなる。
【００４４】
しかし、液晶コーティング層１２５の上に保護フィルム(図示しない)を形成すると、保護フィルム（図示しない）が一定水準以上の位相差を有して製造されるため、第１の偏光パターン領域１２７及び第２の偏光パターン領域１２９を通過した光が、保護フィルム(図示しない)の位相差ほど、遅延されることになる。そうすると、２次偏光部１０８が、第１の偏光パターン領域１２７及び第２の偏光パターン領域１２９を通過した光のうち、いずれか一つを一部遮断することができるため、第１の偏光パターン領域１２７と第２の偏光パターン領域１２９とのコントラスト比が示された映像を取得することができるようになる。
【００４５】
撮影部１１０は、２次偏光部１０８を透過した光を通じてパターン化リターダ１０２を撮影し、パターン化リターダ１０２の映像を取得する。撮影部１１０で取得したパターン化リターダ１０２の映像には、第１の偏光パターン領域１２７と第２の偏光パターン領域１２９とのコントラスト比が示されるため、第１の偏光パターン領域１２７及び第２の偏光パターン領域１２９の幅及び直進度を検査することができる。
【００４６】
［実施形態１］
実施形態１は、２次偏光部１０８として円偏光フィルタを用いて、保護フィルムがない状態で、１次回転角度θ１を変化させながらパターン化リターダを撮影した。ここで、第１の偏光パターン領域１２７の液晶配向角度は４５°とし、第２の偏光パターン領域１２９の液晶配向角度は１３５°とした。
【００４７】
図５及び図６は、それぞれ実施形態１において、１次回転角度θ１の変化による第１の偏光パターン領域と第２の偏光パターン領域とのコントラスト比（Contrast Ratio）を示したグラフ及び映像である。
【００４８】
図５及び図６を参照すると、０°〜９０°の全ての１次回転角度θ１の範囲において、第１の偏光パターン領域１２７と第２の偏光パターン領域１２９とのコントラスト比が１．３５以上に示されることが確認された。
【００４９】
ここで、１次回転角度θ１によって、第１の偏光パターン領域１２７と第２の偏光パターン領域１２９とのコントラスト比が異なって示されるが、前記[数式]によると、第１の偏光パターン領域１２７と第２の偏光パターン領域１２９とのコントラスト比が最大化され示される１次回転角度θ１は、（４５＋１３５）／２＝９０°となる。
【００５０】
ここで、図５及び図６を参照すると、１次回転角度θ１が９０°である時、第１の偏光パターン領域１２７と第２の偏光パターン領域１２９とのコントラスト比が２０．８０と最も高く示されることが確認された。また、１次回転角度θ１がθ１’±２０°の範囲である場合、即ち、１次回転角度θ１が７０°、８０°、９０°、０°、１０°である場合に、第１の偏光パターン領域１２７と第２の偏光パターン領域１２９とのコントラスト比が５以上と高く示されることが確認された。
【００５１】
［実施形態２］
実施形態２では、実施形態１において、１次回転角度θ１を９０°に固定させた状態で、２次回転角度θ２を変化させながらパターン化リターダを撮影した。
【００５２】
図７及び図８は、それぞれ実施形態２において、２次回転角度θ２の変化による第１の偏光パターン領域と第２の偏光パターン領域とのコントラスト比を示したグラフ及び映像である。
【００５３】
図７及び図８を参照すると、０°〜１７０°の全ての２次回転角度θ２の範囲で、第１の偏光パターン領域１２７と第２の偏光パターン領域１２９とのコントラスト比が９．２７以上とかなり高く示されることが確認された。即ち、１次回転角度θ１を９０°に固定させた状態で２次回転角度θ２を変化させた場合、第１の偏光パターン領域１２７と第２の偏光パターン領域１２９とのコントラスト比が実施形態１の場合より全般的に高く示されることが確認された。
【００５４】
［実施形態３］
実施形態３では、２次偏光部１０８として円偏光フィルタを用いて、保護フィルムがある状態で、１次回転角度θ１を変化させながらパターン化リターダを撮影した。ここで、第１の偏光パターン領域１２７の液晶配向角度は４５°、第２の偏光パターン領域１２９の液晶配向角度は１３５°とし、保護フィルムの位相差補償角度は１０°の製品を用いた。
【００５５】
図９及び図１０は、それぞれ実施形態３において、１次回転角度θ１の変化による第１の偏光パターン領域と第２の偏光パターン領域とのコントラスト比を示したグラフ及び映像である。
【００５６】
図９及び図１０を参照すると、保護フィルムがある場合は、保護フィルムがない場合（即ち、実施形態１）より第１の偏光パターン領域１２７と第２の偏光パターン領域１２９とのコントラスト比が低く示されることが確認された。
【００５７】
これは、保護フィルムが一定程度の位相差を有するために発生する現象であって、液状コーティング層１２５上に保護フィルムが形成されていると、第１の偏光パターン領域１２７及び第２の偏光パターン領域１２９を通過した光が、保護フィルムの位相差ほど、遅延されることになる。そうすると、２次偏光部１０８が、第１の偏光パターン領域１２７及び第２の偏光パターン領域１２９を通過した光のうち、いずれか一つを遮断させ他の一つを通過させる時、第１の偏光パターン領域１２７及び第２の偏光パターン領域１２９を通過した光のうち、一部のみを遮断して一部のみを通過させるため、保護フィルムがない場合（即ち、実施形態１）より第１の偏光パターン領域１２７と第２の偏光パターン領域１２９とのコントラスト比が低く示されることになる。
【００５８】
その一方、前記[数式]によると、第１の偏光パターン領域１２７と第２の偏光パターン領域１２９とのコントラスト比が最大化されて示される１次回転角度θ１は、（４５＋１３５）／２＋１０＝１００°になる。ここで、図９及び図１０を参照すれば、１次回転角度θ１が０°である場合、第１の偏光パターン領域１２７と第２の偏光パターン領域１２９とのコントラスト比が５．３９と最も高く示されることが確認された。
【００５９】
ここでは、１次回転角度θ１が０°〜９０°である場合のみをグラフで示したが、第１の偏光パターン領域１２７の液晶配向角度（α）と、第２の偏光パターン領域１２９の液晶配向角度（β）とが互いに垂直をなすため、１次回転角度θ１が１００°〜１９０°である場合も０°〜９０°である場合と同様の形態でコントラスト比が示されるようになる。従って、１次回転角度θ１が１００°である場合は、１次回転角度θ１が０°である場合と同一のコントラスト比が示されるものと見なせる。
【００６０】
また、１次回転角度θ１がθ１’±２０°である場合、即ち、１次回転角度θ１が８０°〜２０°である場合、第１の偏光パターン領域１２７と第２の偏光パターン領域１２９とのコントラスト比がおよそ３以上と高く示されることが見られる。
【００６１】
［実施形態４］
実施形態４は、実施形態３において、１次回転角度θ１を０°に固定させた状態で、２次回転角度θ２を変化させながらパターン化リターダを撮影した。
【００６２】
図１１及び図１２は、それぞれ実施形態４において、２次回転角度θ２の変化による第１の偏光パターン領域と第２の偏光パターン領域とのコントラスト比を示したグラフ及び映像である。
【００６３】
図１１及び図１２を参照すると、０°〜１７０°の全ての２次回転角度θ２の範囲で、第１の偏光パターン領域１２７と第２の偏光パターン領域１２９とのコントラスト比が３．６２以上と高く示されることが確認された。即ち、１次回転角度θ１を０°に固定させた状態で２次回転角度θ２を変化させた時、第１の偏光パターン領域１２７と第２の偏光パターン領域１２９とのコントラスト比が、実施形態３の場合より全般的に高く示されることが確認される。
【００６４】
［実施形態５］
実施形態５は、２次偏光部１０８として線形偏光フィルタを用いて、保護フィルムがある状態で、１次回転角度θ１を変化させながらパターン化リターダを撮影した。ここで、第１の偏光パターン領域１２７の液晶配向角度を４５°、第２の偏光パターン領域１２９の液晶配向角度を１３５°とし、保護フィルムの位相差補償角度は１０°である製品を使用した。
【００６５】
図１３及び図１４は、それぞれ実施形態５において、１次回転角度θ１の変化による第１の偏光パターン領域と第２の偏光パターン領域とのコントラスト比を示したグラフ及び映像である。
【００６６】
図１３及び図１４を参照すると、液晶コーティング層１２５の上に保護フィルムを形成した場合は、２次偏光部１０８として線形偏光フィルタを用いたにも関わらず、１０°及び２０°を除いた１次回転角度θ１において、第１の偏光パターン領域１２７と第２の偏光パターン領域１２９とのコントラスト比が１．１８以上と示されることが確認された。特に、６０°〜９０°の２次回転角度θ２では、１．５以上のコントラスト比が示されることが確認された。
【００６７】
以上、代表的な実施形態を通じて本発明について詳細に説明したが、本発明が属する技術分野における通常の知識を有する者は、上述した実施形態に対して本発明の範疇から逸脱しない範囲内で、様々な変形が可能であることを理解する。従って、本発明の権利範囲は、説明した実施形態に限定して定めてはならず、後述する特許請求の範囲のみならず、この特許請求の範囲と均等なものなどによって定められなければならない。
【符号の説明】
【００６８】
１０２：パターン化リターダ
１０４：照明部
１０６：１次偏光部
１０８：２次偏光部
１１０：撮影部
１２１：基材フィルム
１２３：配向層
１２５：液晶コーティング層
１２７：第１の偏光パターン領域
１２９：第２の偏光パターン領域
【図１】
2013109333.tif 000003
【図２】
2013109333.tif 000004
【図３】
2013109333.tif 000005
【図４】
2013109333.tif 000006
【図５】
2013109333.tif 000007
【図６】
2013109333.tif 000008
【図７】
2013109333.tif 000009
【図８】
2013109333.tif 000010
【図９】
2013109333.tif 000011
【図１０】
2013109333.tif 000012
【図１１】
2013109333.tif 000013
【図１２】
2013109333.tif 000014
【図１３】
2013109333.tif 000015
【図１４】
2013109333.tif 000016